(57)【要約】【課題】火気を使わずに安全性が高く、悪戯をしにくく、見る人の脳裏に美麗な印象を残すことができる発光体泳動観賞装置の提供。【解決手段】水を満たした容器１０と、容器１０の水中に投入される発光体１２と、容器１０の水中に投入されるドライアイスの塊３０と、によって発光体泳動観賞装置１を構成する。【選択図】  図１
0003138792.tif 000002
【実用新案登録請求の範囲】
【請求項１】
水を満たした容器と、当該容器の水中に投入される発光体と、を有し、
前記容器は、この容器を外側から透視可能な材質によって形成されており、かつ、この容器内の水に流れを生じさせる水流発生手段を有し、
前記発光体が、前記水流発生手段によって生じた水の流れにのって前記容器内を動くことを特徴とする発光体泳動観賞装置。
【請求項２】
前記発光体は、発光源ランプと、当該発光源ランプに電力を供給する電源と、これらの発光源ランプ及び電源を接続する回路と、を内部に有し、
前記回路は、前記発光体の外側に露出する一対の電極を有し、
前記発光体が水中に投入されると、前記一対の電極間が水を介して通電して、前記電源から前記発光源ランプに電力が供給され、前記発光源ランプが点灯することを特徴とする請求項１記載の発光体泳動観賞装置。
【請求項３】
前記水流発生手段は、ドライアイスを有し、当該ドライアイスが前記容器内の水と接触して二酸化炭素の気泡を発生し、この気泡が前記容器の水中を浮上し、この気泡の浮上により、前記容器内の水に流れが生じることを特徴とする請求項１または請求項２に記載の発光体泳動観賞装置。
【請求項４】
前記水流発生手段は、前記容器内にガスまたは水のうちの少なくともいずれか一方を噴出する噴出口を有し、当該噴出口から噴出するガスまたは水のうちの少なくともいずれか一方により、前記容器内の水に流れが生じることを特徴とする請求項１から請求項３のうちのいずれかの請求項に記載の発光体泳動観賞装置。
【請求項５】
前記水流発生手段は、前記容器外にあるモータ駆動の回転軸と、当該回転軸に装着された第１の磁石と、前記容器内に入れられた第２の磁石と、を有し、
前記第１の磁石と前記第２の磁石との間には磁力が作用しており、前記第１の磁石が、前記回転軸と一緒に回転すると、前記第２の磁石が、前記第１の磁石の磁力によって前記容器内で回転し、前記第２の磁石の回転により、前記容器内の水に流れが生じることを特徴とする請求項１から請求項４のうちのいずれかの請求項に記載の発光体泳動観賞装置。
【考案の詳細な説明】
【技術分野】
【０００１】
水を満たした容器内で発光体が水の流れにのって動き回り、視覚を通して見る者の美感に訴える発光体泳動観賞装置に関する。
【背景技術】
【０００２】
結婚式の披露宴においては、いわゆるキャンドルサービスが広く行われている。新郎新婦がお色直しをして再入場する際に、キャンドルサービスが行われることが多い。典型的なキャンドルサービスでは、新郎新婦が披露宴のテーブルをまわりながらこれらのテーブルにおかれたロウソクに火を順番に灯していき、最後にメインテーブルにセットされたロウソクに火を灯す。
【０００３】
最近、キャンドルサービスは極めて一般的なイベントとなっており、披露宴の出席者がせっかくのキャンドルサービスから受ける印象は弱いものになってしまっている。新郎新婦は、自分達の結婚披露宴を印象深いものにして披露宴の出席者の記憶に長く留めておきたいと希望している。このため、ユニークなキャンドルサービスの演出に対する要望が大きくなっている。
【０００４】
かかる要望にこたえる技術として、例えば、キャンドルサービスのロウソクにはめ込む花火が提唱されている（特許文献１参照）。この花火はロウソクの点火時に燃焼し、美麗な炎と火花を出し、見る人の脳裏に華やかな印象を残す。
【特許文献１】実開平０６−０１４７９６号公報
【考案の開示】
【考案が解決しようとする課題】
【０００５】
しかし、上記した花火をキャンドルサービスのロウソクにはめこんで使用する場合、花火から噴出する炎と火花に相応の注意を払って事故を防止しなければならず、このことが披露宴会場の責任者に与える安全管理上の負担は非常に大きい。
また、キャンドルサービスを行う新郎新婦は、既に軽い酩酊状態にあることがある。酩酊状態にある新郎新婦がロウソクに火を灯して廻る場合にも、披露宴会場の責任者は不慮の事故が発生することを防止するために一瞬も気を抜くことができない。
【０００６】
さらに、披露宴の会場では、ロウソクの芯を濡らす等してロウソクに火を灯しにくくするという悪戯が時折見受けられる。キャンドルサービスが単調なものになりがちであるので、何か記憶に残る出来事を残そうとして披露宴出席者がこのような悪戯をするものと思われる。しかし、このような悪戯は披露宴の進行スケジュールに遅延をもたらす原因になり、披露宴関係者に様々な迷惑をもたらすことも多い。
本考案は、上記問題を解決するものであり、その目的とするところは、火気を使わずに安全性が高く、悪戯をしにくく、見る人の脳裏に美麗な印象を残すことができる発光体泳動観賞装置を提供することである。
【課題を解決するための手段】
【０００７】
本考案は、その課題を解決するために以下のような構成をとる。請求項１の考案に係る発光体泳動観賞装置は、水を満たした容器と、当該容器の水中に投入される発光体と、を有し、前記容器は、この容器を外側から透視可能な材質によって形成されており、かつ、この容器内の水に流れを生じさせる水流発生手段を有し、前記発光体が、前記水流発生手段によって生じた水の流れにのって前記容器内を動く。
【０００８】
発光体泳動観賞装置の容器を形成する内側を透視可能な材質は、例えば、透明または半透明のガラスまたは樹脂である。この透視可能な材質は有色であっても無色であってもよい。また、この容器は、少なくとも一部分が内部を透視可能な材質によって形成されていればよい。
容器内の水中で発光体が動くと、発光体が発する光が容器内を乱舞するように見え、見る人の美感に訴え、見る人の脳裏に華麗な印象を残すことができる。
【０００９】
発光体の動きは、水流発生手段が発生させる水の流れの状態によって変化する。水の流れが強く激しいものであれば、容器内における発光体の動きも速く激しいものになる。水の流れが弱く緩やかなものであれば、容器内における発光体の動きも遅く緩やかなものになる。
発光体は、例えば、物理的な発光源を有するものであってもよいし、化学的な発光源を有するものであってもよいし、生物学的な発光源を有するものであってもよい。必ずしも発光体にロウソクや火気を使わなくてもすむので、安全性が高まり、悪戯等もされにくい。
【００１０】
発光体の外側の形状は特に限定されず、例えば、球形であってもよいし、多面体であってもよい。発光体の外側の形状を変えることによって、容器内における発光体の動きを変えることができる。
水流発生手段は、例えば、物理的に水の流れを作り出す構成であってもよいし、化学的に水の流れを作り出す構成であってもよいし、動植物を利用して水の流れを作り出す構成であってもよい。
【００１１】
物理的に水の流れを作り出す構成として、例えば、スクリュー等の回転体が水中で回転する構成を挙げることができる。また、容器内の一部を熱するか冷却するかして対流を生じさせることによって水の流れを作り出す構成としてもよい。さらに、水中に水やガスなどを流入させることによって水の流れを作り出す構成としてもよい。また、水中にガスを発生させる物質を入れ、水中を上昇するガスの気泡によって水の流れを作り出す構成としてもよい。また、水中に動植物を入れ、動植物の動きによって水の流れを作り出す構成としてもよい。
【００１２】
請求項２の考案に係る発光体泳動観賞装置は、請求項１記載の発光体泳動観賞装置であって、前記発光体は、発光源ランプと、当該発光源ランプに電力を供給する電源と、これらの発光源ランプ及び電源を接続する回路と、を内部に有し、前記回路は、前記発光体の外側に露出する一対の電極を有し、前記発光体が水中に投入されると、前記一対の電極間が水を介して通電して、前記電源から前記発光源ランプに電力が供給され、前記発光源ランプが点灯する。
発光体を水中に投入しさえすれば発光源ランプが点灯するので、取り扱いが非常に容易である。
発光源ランプとして、例えば、従来ある電球や発光ＬＥＤを挙げることができるが、ここに挙げたものに限定されない。
発光体が内部に有する電源として、例えば、従来ある小型の電池を挙げることができるが、ここに挙げたものに限定されない。
【００１３】
請求項３の考案に係る発光体泳動観賞装置は、請求項１または請求項２に記載の発光体泳動観賞装置であって、前記水流発生手段は、ドライアイスを有し、当該ドライアイスが前記容器内の水と接触して二酸化炭素の気泡を発生し、この気泡が前記容器の水中を浮上し、この気泡の浮上により、前記容器内の水に流れが生じる。
水流発生手段が有するドライアイスが、容器内の水と接触して二酸化炭素の気泡を発生する。この気泡は容器に満たされた水中を上昇していくので、容器内の水に流れが生じる。発光体はこの水の流れにのって容器内を動き回る。また、容器の周辺には白煙がたなびく。
【００１４】
容器内における発光体の動きは、ドライアイスの量によって調節できる。発光体の動きを激しいものにしたい場合、容器内の水と接触するドライアイスの量を増やし、容器内で生じる水の流れを強く激しいものにすればよい。発光体の動きを穏やかなものにしたい場合、容器内の水と接触するドライアイスの量を減らし、容器内で生じる水の流れを弱く緩やかなものにすればよい。
【００１５】
容器の周囲に漂う白煙の量も、ドライアイスの量によって調節できる。白煙の量を増やしたい場合、容器内の水と接触するドライアイスの量を増やせばよい。白煙の量を減らしたい場合、容器内の水と接触するドライアイスの量を減らせばよい。
容器内における発光体の動きと周辺に漂う白煙との相乗効果によって、発光体泳動観賞装置は見る人の美感に強く訴えかける。
【００１６】
請求項４の考案に係る発光体泳動観賞装置は、請求項１から請求項３のうちのいずれかの請求項に記載の発光体泳動観賞装置であって、前記水流発生手段は、前記容器内にガスまたは水のうちの少なくともいずれか一方を噴出する噴出口を有し、当該噴出口から噴出するガスまたは水のうちの少なくともいずれか一方により、前記容器内の水に流れが生じる。
噴出口から容器内の水中にガスまたは水を噴出すれば、水に流れが生じる。噴出口の位置、数、噴出方向を変えることによって、水の流れを変えることができる。
噴出口から容器内の水中に水を噴出する場合、ポンプ等を用いて容器内から水を吸引し、この吸引した水を噴出口から容器内に吐出すれば、容器内の水を循環して使うことができる。
【００１７】
請求項５の考案に係る発光体泳動観賞装置は、請求項１から請求項４のうちのいずれかの請求項に記載の発光体泳動観賞装置であって、前記水流発生手段は、前記容器外にあるモータ駆動の回転軸と、当該回転軸に装着された第１の磁石と、前記容器内に入れられた第２の磁石と、を有し、前記第１の磁石と前記第２の磁石との間には磁力が作用しており、前記第１の磁石が、前記回転軸と一緒に回転すると、前記第２の磁石が、前記第１の磁石の磁力によって前記容器内で回転し、前記第２の磁石の回転により、前記容器内の水に流れが生じる。
【００１８】
容器の外で第１の磁石を回転させる。容器が磁界を通す材質であり、容器内に第２の磁石が入っていると、第１の磁石と第２の磁石との間に磁力が働き、第２の磁石は第１の磁石とともに回転する。
回転する第２の磁石が容器内の水をかき回し、容器内には渦状の水の流れが生じる。この渦状の水の流れにのって発光体は容器内を動きまわる。第２の磁石の回転速度、形状、サイズを変えることによって、容器内の渦の大きさと強さを変えることができる。
【考案の効果】
【００１９】
上記のような発光体泳動観賞装置であるので、火気を使わずに安全性が高く、悪戯をしにくく、見る人の脳裏に美麗な印象を残すことができる。
【考案を実施するための最良の形態】
【００２０】
本考案を実施するための最良の形態を図１から図３を参照しつつ説明する。図１は発光体泳動観賞装置の構成図、図２は発光体の外観図であり、図２（ｉ）は発光体の斜視図、図２（ｉｉ）は発光体の底面図、図３は発光体が有している電気回路の説明図である。
図１に示すように、発光体泳動観賞装置１は、容器１０、発光体１２、ドライアイスの塊３０を有している。
容器１０は縦長の瓶状をなし、上端が外部に向かって開放しており、無色透明なガラス製であり、内側を透視可能である。
ドライアイスの塊３０は水流発生手段をなしている。
【００２１】
図２及び図３に示すように、発光体１２は無色透明なアクリル樹脂でできた筐体１４と電気回路１６とを有している。
電気回路１６は、スイッチ１８、一対の電極２２Ａ、２２Ｂ、コンデンサ２４、発光源ランプ２６、電池２８を有する。
スイッチ１８は２個のｎｐｎ型のトランジスタ２０Ａ、２０Ｂによって構成されている。トランジスタ２０Ａ、２０Ｂはカスケード接続を形成している。
トランジスタ２０Ａのベース端子がコンデンサ２４を介して接地され、トランジスタ２０Ａのエミッタ端子がトランジスタ２０Ｂのベース端子に接続され、トランジスタ２０Ａのベース端子とコレクタ端子とが一対の電極２２Ａ、２２Ｂを介して接続されている。また、トランジスタ２０Ａのコレクタ端子が電池２８に接続されている。トランジスタ２０Ｂのエミッタ端子が発光源ランプ２６を介して接地され、トランジスタ２０Ｂのコレクタ端子が電池２８に接続されている。
【００２２】
電池２８は、従来あるものと同様の小型電池であり、電池２８が一対の電極２２Ａ、２２Ｂ間に電圧を印加可能に構成されている。発光源ランプ２６は、従来あるものと同様の構成を有する物理的な発光源である。コンデンサ２４は、従来あるものと同様の構成を有する。
電気回路１６は一対の電極２２Ａ、２２Ｂを除いて発光体１２の筐体１４内に密封されている。一対の電極２２Ａ、２２Ｂは、発光体１２の筐体１４の外側表面に露出している。発光源ランプ２６は筐体１４を通して外側から見える位置に配置されている。
発光体１２が乾いた空気中に置かれているとき、電極２２Ａ、２２Ｂ間のインピーダンスが無限大となっており、電流は電気回路１６を流れることができない構成となっている。
【００２３】
次に、作用について説明する。
まず、人が、発光体泳動観賞装置１の容器１０を卓上に置き、その容器１０内に水を満たす。そして、容器１０に満たされた水中に、発光体１２とドライアイスの塊３０とを投入する（図１を参照）。
発光体１２が水中に投入されると、電極２２Ａ、２２Ｂ間が水を介して通電し、電極２２Ａ、２２Ｂ間に電流が流れ、コンデンサ２４が帯電する。コンデンサ２４が帯電すると、スイッチ１８がＯＮ状態になる。すなわち、トランジスタ２０Ａのベース端子に電流が流れ、トランジスタ２０Ａが通電状態になり、さらに、トランジスタ２０Ｂのベース端子に電流が流れる。そして、電流が電池２８から発光源ランプ２６に流れ、発光源ランプ２６が点灯する。
【００２４】
何らかの理由により電極２２Ａ、２２Ｂ間の通電が一時的に妨げられる事態が生じると、コンデンサ２４からトランジスタ２０Ａに通電状態を維持するのに充分な電流が流れ、その通電状態が維持される。すなわち、スイッチ１８のＯＮ状態が維持され、発光源ランプ２６が消えることが防止される。コンデンサ２４が放電し終えると、スイッチ１８がＯＦＦ状態になり、発光源ランプ２６も消える。
【００２５】
水中のドライアイスの塊３０からは、二酸化炭素の気泡Ｂが発生する。この気泡Ｂが勢いよく水面に向かって上昇し、容器１０内の水に流れが生じる。水中の発光体１２はこの容器１０内で生じた水の流れにのり、容器１０内をぐるぐると動き回る。発光体１２は動き回るだけでなく、容器１０内で自ら転動する。容器１０の外側からは、気泡Ｂが水中を上昇して行く様子と、発光源ランプ２６が点灯した発光体１２が転動しつつ動き回る様子とが見える。また、水面まで上昇した二酸化炭素によって、容器１０の周辺には白煙Ｓが漂う。
【００２６】
容器１０内において気泡が上昇し発光体１２が動きまわる様子と、容器１０の周辺に漂う白煙は、発光体泳動観賞装置１を眺める人の美感に強く訴えかけ、美麗で幻想的な印象を残すことができる。
発光体泳動観賞装置１を作動させるまでは、発光体１２とドライアイスの塊３０とを別途保管しておくことができ、発光体泳動観賞装置１を作動させる際に発光体１２とドライアイスの塊３０とを容器１０の水中に投入することができる。したがって、発光体１２とドライアイスの塊３０を容易に管理することができ、発光体泳動観賞装置１に悪戯がなされることを防止しやすい。また、発光体泳動観賞装置１は火気を使っていないので、安全管理が非常に容易である。
【００２７】
本実施の形態において、発光体１２の電気回路１６が、スイッチ１８、一対の電極２２Ａ、２２Ｂ、コンデンサ２４、発光源ランプ２６、電池２８を有するとしたが、代わりに、電気回路１６を一対の電極２２Ａ、２２Ｂ、発光源ランプ２６、電池２８によって形成し、これらの一対の電極２２Ａ、２２Ｂ、発光源ランプ２６、電池２８を直列に配置してもよい。
【００２８】
本実施の形態において、ドライアイスの塊３０が水流発生手段をなすとしたが、代わりに、水流発生手段を図４の変形例１に示す構成とすることが可能であり、水流発生手段を図５の変形例２に示す構成とすることも可能であり、水流発生手段を図６の変形例３に示す構成とすることも可能である。なお、図４、図５及び図６においては、発光体１２の図示を省略している。
【００２９】
図４の変形例１に係る水流発生手段は、容器１０の底部に設けられて容器１０内に空気を噴出可能な噴出口３２からなる。噴出口３２は容器１０の外部に設置されたコンプレッサ（図示せず）に接続されている。
噴出口３２から噴出される空気が気泡Ｂとなって容器１０を水面に向かって上昇し、容器１０内の水に流れが生じる。噴出口３２の数、位置、方向を変えることにより、容器１０内で生じる水の流れを調節できる。
変形例１において噴出口３２から空気を噴出するが、代わりに、例えば、窒素や二酸化炭素のガスを噴出してもよい。
【００３０】
図５の変形例２に係る水流発生手段は、容器１０の底部に設けられて容器１０内に水を噴出可能な噴出口３４と、容器１０の上部に設けられて容器１０内から水を吸引可能な吸引口３６と、からなる。容器１０の外部にポンプ（図示せず）が設置されている。このポンプの吸引側には吸引口３６が接続され、吐出側には噴出口３４が接続されている。
噴出口３４から噴出される水によって、容器１０内の水に流れが生じる。容器１０内の水は、吸引口３６から前記ポンプに吸引され、前記ポンプを介して噴出口３４から容器１０内に戻され、循環する。噴出口３４や吸引口３６の数、位置、方向を変えることにより、容器１０内で生じる水の流れを調節できる。
【００３１】
図６の変形例３に係る水流発生手段は、容器１０外に設けられたモータ駆動の回転軸３８と、回転軸３８に装着された第１の磁石４０Ａと、容器１０内に入れられた第２の磁石４０Ｂと、を有する。
第１の磁石４０Ａと第２の磁石４０Ｂとの間には磁力が作用しており、第１の磁石４０Ａが回転軸３８と一緒に回転すると、第２の磁石４０Ｂが第１の磁石４０Ａの磁力によって容器１０内で回転する。回転する第２の磁石４０Ｂが容器１０内の水をかき回し、容器１０内には渦状の水の流れが生じる。
【図面の簡単な説明】
【００３２】
【図１】発光体泳動観賞装置の構成図である。
【図２】発光体の外観図であり、（ｉ）は発光体の斜視図、（ｉｉ）は発光体の底面図である。
【図３】発光体が有している電気回路の説明図である。
【図４】変形例１に係る水流発生手段の説明図である。
【図５】変形例２に係る水流発生手段の説明図である。
【図６】変形例３に係る水流発生手段の説明図である。
【符号の説明】
【００３３】
１    発光体泳動観賞装置
１０    容器
１２    発光体
１４    筐体
１６    電気回路
１８    スイッチ
２０Ａ、２０Ｂ    トランジスタ
２２Ａ、２２Ｂ    電極
２４    コンデンサ
２６    発光源ランプ
２８    電池
３０    ドライアイスの塊
３２、３４    噴出口
３６    吸引口
３８    回転軸
４０Ａ    第１の磁石
４０Ｂ    第２の磁石
Ｂ    気泡
Ｓ    白煙
【図１】
0003138792.tif 000003
【図２】
0003138792.tif 000004
【図３】
0003138792.tif 000005
【図４】
0003138792.tif 000006
【図５】
0003138792.tif 000007
【図６】
0003138792.tif 000008